(57)【要約】【課題】切り分け試験を効率よく行うことができ、収容回線数の増加にも最小限の寸法増加で対応できる保安器サブモジュールを提供する。【解決手段】入回線接続用端子として並列された複数のＵスリット端子３Ａ−１〜３Ａ−１６、３Ｂ−１〜３Ｂ−１６と、各Ｕスリット端子に電気的に接続された保安素子４Ａ−１〜４Ａ−１６、４Ｂ−１〜４Ｂ−１６と、各Ｕスリット端子に電気的に接続され、試験片の挿入により通信回線を切断して切り分け試験を行うための試験弾器ユニット５と、該試験弾器ユニットと電気的に接続された交換機側の出回線接続用端子としての交換機側コネクタ６−１、６−２と、を搭載した平行な二枚のプリント配線板２Ａ、２Ｂを備える保安器サブモジュール１において、試験弾器ユニット５を、Ｕスリット端子３Ａ−１〜３Ａ−１６、３Ｂ−１〜３Ｂ−１６側から試験片を挿入可能に、Ｕスリット端子３Ａ−１〜３Ａ−１６、３Ｂ−１〜３Ｂ−１６と平行に二枚のプリント配線板２Ａ、２Ｂ間に搭載する。【選択図】  図１
2005184081.tif 000002
【特許請求の範囲】
【請求項１】
入回線接続用端子として並列された複数のＵスリット端子と、各Ｕスリット端子に電気的に接続された保安素子と、各Ｕスリット端子に電気的に接続され、試験片の挿入により通信回線を切断して切り分け試験を行うため回線毎に設けられた弾器ばね対を有する試験弾器ユニットと、該試験弾器ユニットと電気的に接続された交換機側の出回線接続用端子としての交換機側コネクタと、を搭載した平行な二枚のプリント配線板を備える保安器サブモジュールにおいて、
前記試験弾器ユニットの各弾器ばね対を、前記Ｕスリット端子側から前記試験片を挿入可能に、かつ前記弾器ばね対の列が前記Ｕスリット端子列と平行となるように前記二枚のプリント配線板間に搭載したことを特徴とする保安器サブモジュール。
【請求項２】
前記試験弾器ユニットは、一対の対向配置された２つのＵスリット端子間に２つの弾器ばね対を有しており、一方の弾器ばね対は前記二枚のプリント配線板のうちの一方のプリント配線板に搭載され、他方の弾器ばね対は他方のプリント配線板に搭載され、このような交互の搭載が全部のＵスリット端子対において同様に行なわれ、各弾器ばね対は、それぞれ搭載されたプリント配線板にプリントされた回路に電気的に接続されていることを特徴とする請求項１に記載の保安器サブモジュール。
【請求項３】
１回線に含まれる２つのＵスリット端子と２つの弾器ばね対が保安機サブモジュールの厚み方向に一列に並んでいることを特徴とする請求項２に記載の保安器サブモジュール。
【請求項４】
前記並列された複数のＵスリット端子は、Ｕスリットハウジングに保持し、該Ｕスリットハウジングに各回線に対応して前記試験片が通る試験片用窓部を形成したことを特徴とする請求項１乃至３のいずれか一項に記載の保安器サブモジュール。
【請求項５】
前記保安素子は、前記二枚のプリント配線板の対向する内側表面に、前記二枚のプリント配線板間で重ならないように位置を異ならせて搭載したことを特徴とする請求項１乃至４のいずれか一項に記載の保安器サブモジュール。
【請求項６】
前記二枚のプリント配線板の外側表面に、対応するプリント配線板の各Ｕスリット端子に結線するジャンパ線の整線を行う通線口ユニットを搭載したことを特徴とする請求項１乃至５のいずれか一項に記載の保安器サブモジュール。
【発明の詳細な説明】
【技術分野】
【０００１】
本発明は、ＰＢＸ（構内交換機）や局内電話交換機などの通信装置が設置される場所において、交換機側と加入者側の通信回路とのインターフェイス部に施設される主配線盤に実装され、雷等による過電圧、過電流から交換機を保護するための保安器サブモジュールに関する。
【背景技術】
【０００２】
従来の保安器サブモジュールとして、例えば図５（ａ）乃至（ｄ）および図６に示すようなものが知られている。なお、図５（ａ）、（ｂ）、（ｃ）および（ｄ）は、それぞれ保安器サブモジュールの正面図、平面図、右側面図および左側面図を示しており、図６は、同じく底面図を示している。
【０００３】
この従来の保安器サブモジュール１００は、８回線を収容するもので、Ａ線用およびＢ線用の二枚のプリント配線板１０１Ａ、１０１Ｂと、二枚のプリント配線板１０１Ａ、１０１Ｂの間に挟み込んで取り付けられたジャンパ線の整線を行う通線口ユニット１１３とを備えており、二枚のプリント配線板１０１Ａ、１０１Ｂには、加入者側の入回線接続用端子として用いられる並列された８回線のＵスリット端子１０９と、各Ｕスリット端子１０９に対して一端が電気的に接続された保安素子１０４と、各Ｕスリット端子１０９に電気的に接続され、試験片の挿入により通信回線を切断して切り分け試験を行うための試験弾器ユニット１０３と、試験弾器ユニット１０３と電気的に接続され、交換機側の出回線接続用端子として用いられる交換機側コネクタ１１６とが搭載されており、試験弾器ユニット１０３および交換機側コネクタ１１６は、同一側面側、ここでは右側面側に配設され、通線口ユニット１１３は左側面側から正面側にジャンパ線を案内するように取り付けられている。
【０００４】
ここで、試験弾器ユニット１０３は、Ａ線用のプリント配線板１０１Ａの外側表面および内側表面を跨いで合掌して設けられた８個の弾器ばね対と、Ｂ線用のプリント配線板１０１Ｂの外側表面および内側表面を跨いで合掌して設けられた８個の弾器ばね対とを有しており、これら弾器ばね対を介して８回線のＵスリット端子１０９と、交換機側コネクタ１１６とを接続している。
【０００５】
すなわち、プリント配線板１０１Ａの外側表面に設けられた８個の弾器ばねが、交換機側コネクタ１１６のＡ線用の端子に接続され、これら８個の弾器ばねと対を成してプリント配線板１０１Ａの内側表面に設けられた８個の弾器ばねが、プリント配線板１０１Ａに搭載された８個のＡ線用のＵスリット端子１０９に接続されている。同様に、プリント配線板１０１Ｂの外側表面に設けられた８個の弾器ばねが、交換機側コネクタ１１６に接続され、これら８個の弾器ばねと対を成してプリント配線板１０１Ｂの内側表面に設けられた８個の弾器ばねが、プリント配線板１０１Ｂに搭載された８個のＵスリット端子１０９に接続されている（例えば下記特許文献１及び２参照）。
【０００６】
図７は、かかる保安器サブモジュール１００の回路図を示すもので、Ａ線用のプリント配線板１０１Ａに搭載された８個のＵスリット端子１０９、保安素子１０４および試験弾器ユニット１０３の弾器ばね対をそれぞれ記号０Ａ〜７Ａで示し、交換機側コネクタ１１６に接続されるＡ線用の端子を記号０１Ａ〜７Ａで示している。同様に、Ｂ線用のプリント配線板１０１Ｂに搭載された８個のＵスリット端子１０９、保安素子１０４および試験弾器ユニット１０３の弾器ばねをそれぞれ記号０Ｂ〜７Ｂで示し、交換機側コネクタ１１６に接続されるＢ線用の端子を記号０１Ｂ〜７Ｂで示している。
【０００７】
交換機側コネクタ１１６にはそれぞれアース端子（記号８Ａ、８Ｂ）が設けられており、これらアース端子は、各保安素子１０４の他端と共に接地されるようになっている。
【０００８】
上記の保安器サブモジュール１００は、図８に示すように、例えば１６個段積みにして、ＭＴＧ（ＭＯＵＮＴＩＮＧ）１１７、サイドプレート１１８、フロントストッパ１１９、整線板１２０、インデックスホルダ１２１、マーキングプレート１２２を組み付けることにより、１４４回線収容の通信機器用保安器１０１が形成される。
【０００９】
上記の保安器サブモジュール１００は８回線用のものについて説明したが、１６回線用のものも既に提案されている（例えば、下記特許文献３参照）。
【００１０】
【特許文献１】意匠登録第９２０３８６号
【特許文献２】意匠登録第９２０３８７号
【特許文献３】特開２００３−２１９４３７号公報
【発明の開示】
【発明が解決しようとする課題】
【００１１】
しかしながら、上述した従来の保安器サブモジュール１００にあっては、その正面側においてＵスリット端子１０９へのジャンパ線の接続作業が行われるのに対して、切り分け試験を行う際は、試験弾器ユニット１０３が側面に設けられているため、側面から試験片を挿脱することになる。
【００１２】
このため、試験片の挿脱作業がしにくく、また、所望の回線とは異なる回線への試験片の誤挿入が生じ易くなって、切り分け試験の効率低下を招くことが懸念される。
【００１３】
本発明は上記課題に鑑みてなされたものであって、切り分け試験を効率よく行うことができ且つ試験片の誤挿入の可能性を僅少化できる保安器サブモジュールを提供することにある。
【課題を解決するための手段】
【００１４】
上記目的を達成する請求項１に記載の発明は、入回線接続用端子として並列された複数のＵスリット端子と、各Ｕスリット端子に電気的に接続された保安素子と、各Ｕスリット端子に電気的に接続され、試験片の挿入により通信回線を切断して切り分け試験を行うため回線毎に設けられた弾器ばね対を有する試験弾器ユニットと、該試験弾器ユニットと電気的に接続された交換機側の出回線接続用端子としての交換機側コネクタと、を搭載した平行な二枚のプリント配線板を備える保安器サブモジュールにおいて、前記試験弾器ユニットの各弾器ばね対を、前記Ｕスリット端子側から前記試験片を挿入可能に、かつ前記弾器ばね対の列が前記Ｕスリット端子列と平行となるように前記二枚のプリント配線板間に搭載したことを特徴とする。
【００１５】
請求項２に記載の発明は、請求項１の保安器サブモジュールにおいて、前記試験弾器ユニットは、一対の対向配置された２つのＵスリット端子間に２つの弾器ばね対を有しており、一方の弾器ばね対は前記二枚のプリント配線板のうちの一方のプリント配線板に搭載され、他方の弾器ばね対は他方のプリント配線板に搭載され、このような交互の搭載が全部のＵスリット端子対において同様に行なわれ、各弾器ばね対は、それぞれ搭載されたプリント配線板にプリントされた回路に電気的に接続されていることを特徴とする。
【００１６】
請求項３に記載の発明は、請求項２の保安器サブモジュールにおいて、１回線に含まれる２つのＵスリット端子と２つの弾器ばね対が保安機サブモジュールの厚み方向に一列に並んでいることを特徴とする。
【００１７】
請求項４に記載の発明は、請求項１乃至３の保安器サブモジュールにおいて、並列された前記複数のＵスリット端子は、Ｕスリットハウジングに保持し、該Ｕスリットハウジングに各回線に対応して上記試験片が通る試験片用窓部を形成したことを特徴とする。
【００１８】
請求項５に記載の発明は、請求項１乃至４の保安器サブモジュールにおいて、上記保安素子は、上記二枚のプリント配線板の対向する内側表面に、上記二枚のプリント配線板間で重ならないように位置を異ならせて搭載したことを特徴とする。
【００１９】
請求項６に記載の発明は、請求項１乃至５の保安器サブモジュールにおいて、上記二枚のプリント配線板の外側表面に、対応するプリント配線板の各Ｕスリット端子に結線するジャンパ線の整線を行う通線口ユニットを搭載したことを特徴とする。
【発明の効果】
【００２０】
請求項１の発明によると、切り分け試験の際に、試験弾器ユニットに対して試験片をＵスリット端子側すなわち保安器サブモジュールの正面側から挿脱できるので、試験片の挿脱作業が容易になると共に、誤挿入も低減でき、切り分け試験の効率向上が期待できる。
【００２１】
請求項２の発明によると、各Ｕスリット端子対について、２つの弾器ばね対が横並びで配置され、結果として全ての弾器ばね対が横一線に並んだ状態になるので、２段に配列されている場合に比較して保安器サブモジュールの厚さ方向の寸法を小さくすることが可能となり、従って、試験片を正面側から挿脱できるようにした本発明の保安器サブモジュールを複数段重ねて搭載する通信機器用保安器の小型化に寄与することとなる。
【００２２】
請求項３の発明によると、１回線に含まれる２つのＵスリット端子と２つの弾器ばね対が保安機サブモジュールの厚み方向に一列に並んでいることにより、これらＵスリット端子と弾器ばね対は１回線あたり１列の配列で済み、結果として保安器サブモジュールの幅方向において回線数列を高密度で設けることが可能である。
【００２３】
請求項４の発明によると、Ｕスリット端子を保持するＵスリットハウジングに、各回線に対応して試験片が通る試験片用窓部が形成されているので、試験片用窓部をガイドにして試験片をより容易に試験弾器ユニットに挿脱することが可能になると共に、誤挿入もより確実に防止することが可能となり、切り分け試験の更なる効率向上が期待できる。
【００２４】
請求項５の発明によると、各Ｕスリット端子に対応する保安素子が、二枚のプリント配線板の対向する内側表面に重なることなく搭載されているので、保安器サブモジュールの厚さ方向の寸法を小さくすることが可能となり、これに伴い通信機器用保安器の小型化にも寄与することが可能となる。
【００２５】
請求項６の発明によると、各プリント配線板のＵスリット端子に結線するジャンパ線を、対応する通線口ユニットにより整線できるので、結線作業を容易に行うことが可能となると共に、誤結線も確実に防止することが可能になる。
【発明を実施するための最良の形態】
【００２６】
以下、本発明による保安器サブモジュールの一実施の形態について、図１乃至図４を参照して説明する。
【００２７】
図１（ａ）、（ｂ）、（ｃ）および（ｄ）は、それぞれ保安器サブモジュールの構成を示す正面図、平面図、右側面図および左側面図であり、図２は図１（ｂ）のＡ−Ａ断面図、図３は保安器サブモジュールの一部を切り欠いた分解斜視図、図４は回路図である。
【００２８】
本実施の形態の保安器サブモジュール１は、１６回線を収容するもので、Ａ線用およびＢ線用の二枚のプリント配線板２Ａおよび２Ｂを有し、これら二枚のプリント配線板２Ａ、２Ｂに、入回線接続用端子として並列された１６回線のＡ線用のＵスリット端子３Ａ−１〜３Ａ−１６およびＢ線用のＵスリット端子３Ｂ−１〜３Ｂ−１６と、各Ｕスリット端子に電気的に接続された保安素子４Ａ−１〜４Ａ−１６および４Ｂ−１〜４Ｂ−１６と、各Ｕスリット端子に電気的に接続されて試験片の挿入により通信回線を切断して切り分け試験を行うための試験弾器ユニット５と、試験弾器ユニット５と電気的に接続された交換機側の出回線接続用端子としての２個の８回線用の交換機側コネクタ６−１および６−２と、Ａ線用およびＢ線用のジャンパ線の整線を行う通線口ユニット７Ａおよび７Ｂと、を搭載する。
【００２９】
二枚のプリント配線板２Ａ、２Ｂは、フレーム１１を介して平行に保持し、その正面側にＡ線用のＵスリット端子３Ａ−１〜３Ａ−１６およびＢ線用のＵスリット端子３Ｂ−１〜３Ｂ−１６を搭載する。Ｕスリット端子３Ａ−１〜３Ａ−１６、３Ｂ−１〜３Ｂ−１６は、Ｕスリットハウジング１２に並列に保持し、Ｕスリット端子３Ａ−１〜３Ａ−１６をプリント配線板２Ａに、Ｕスリット端子３Ｂ−１〜３Ｂ−１６をプリント配線板２Ｂにそれぞれ接続する。
【００３０】
保安素子４Ａ−１〜４Ａ−１６は、プリント配線板２Ａのプリント配線板２Ｂと対向する内側表面に、Ｕスリット端子３Ａ−１〜３Ａ−１６の列と平行に搭載して、それらの一端をプリント配線板２Ａに印刷された配線パターンを介して対応するＵスリット端子３Ａ−１〜３Ａ−１６に接続し、他端はアース配線パターンに接続する。同様に、保安素子４Ｂ−１〜４Ｂ−１６は、プリント配線板２Ｂのプリント配線板２Ａと対向する内側表面に、Ｕスリット端子３Ｂ−１〜３Ｂ−１６の列と平行に搭載して、それらの一端をプリント配線板２Ｂに印刷された配線パターンを介して対応するＵスリット端子３Ｂ−１〜３Ｂ−１６に接続し、他端はアース配線パターンに接続する。
【００３１】
本実施の形態では、保安素子４Ａ−１〜４Ａ−１６と保安素子４Ｂ−１〜４Ｂ−１６とが、厚さ方向に重ならないように、それらの搭載位置をプリント配線板２Ａ、２Ｂで奥行き方向にずらしている。
【００３２】
試験弾器ユニット５は、弾器ハウジング１３に保持された、Ｕスリット端子３Ａ−１〜３Ａ−１６に対応する１６個の弾器ばね対５Ａ−１〜５Ａ−１６と、Ｕスリット端子３Ｂ−１〜３Ｂ−１６に対応する１６個の弾器ばね対５Ｂ−１〜５Ｂ−１６とを有している。各弾器ばね対は、２枚の弾器ばねからなり、常時は合掌状態で電気的に接触し、試験片の挿入により離間するように弾器ハウジング１３に保持する。
【００３３】
本実施の形態では、弾器ばね対５Ａ−１〜５Ａ−１６、５Ｂ−１〜５Ｂ−１６を、各回線のＡ線用の弾器ばね対およびＢ線用の弾器ばね対が隣接するように、弾器ハウジング１３に一列に交互に保持し、この弾器ハウジング１３をＵスリット端子３Ａ−１〜３Ａ−１６、３Ｂ−１〜３Ｂ−１６のそれぞれの配列方向と平行にプリント配線板２Ａ、２Ｂ間に搭載して、保安器サブモジュール１の正面側で、Ｕスリット端子３Ａ−１〜３Ａ−１６とＵスリット端子３Ｂ−１〜３Ｂ−１６との間から試験片を挿脱できるようにする。
【００３４】
このため、Ｕスリットハウジング１２には、Ｕスリット端子３Ａ−１〜３Ａ−１６とＵスリット端子３Ｂ−１〜３Ｂ−１６との間に、回線毎に試験片が通る試験片用窓部１２−１〜１２−１６を形成する。
【００３５】
一列に交互に保持された弾器ばね対５Ａ−１〜５Ａ−１６、５Ｂ−１〜５Ｂ−１６は、弾器ばね対５Ａ−１〜５Ａ−１６をプリント配線板２Ａに、弾器ばね対５Ｂ−１〜５Ｂ−１６をプリント配線板２Ｂに交互に接続して、弾器ばね対５Ａ−１〜５Ａ−１６の一方の弾器ばねを、プリント配線板２Ａに形成された配線パターンを介して対応するＵスリット端子３Ａ−１〜３Ａ−１６に電気的に接続し、他方の弾器ばねは、プリント配線板２Ａに形成された配線パターンを介して交換機側コネクタ６−１、６−２のＡ線用端子６Ａ−１〜６Ａ−１６に８回線ずつ分けて電気的に接続する。同様に、弾器ばね対５Ｂ−１〜５Ｂ−１６の一方の弾器ばねを、プリント配線板２Ｂに形成された配線パターンを介して対応するＵスリット端子３Ｂ−１〜３Ｂ−１６に電気的に接続し、他方の弾器ばねは、プリント配線板２Ｂに形成された配線パターンを介して交換機側コネクタ６−１、６−２のＢ線用端子６Ｂ−１〜６Ｂ−１６に８回線ずつ分けて電気的に接続する。
【００３６】
交換機側コネクタ６−１、６−２は、プリント配線板２Ａ、２Ｂの右側面側に、プリント配線板２Ａ、２Ｂ間に跨って段違いに並設する。これら交換機側コネクタ６−１、６−２は、それぞれ試験弾器ユニット５に接続される８回線の端子の他に１回線分のアース端子６−１Ｅ、６−２Ｅを有しており、これらアース端子６−１Ｅ、６−２Ｅは、保安素子４Ａ−１〜４Ａ−１６、４Ｂ−１〜４Ｂ−１６の他端とともに接地されるようになっている。
【００３７】
通線口ユニット７Ａは、プリント配線板２Ａの外側表面に搭載し、通線口ユニット７Ｂは、プリント配線板２Ｂの外側表面に搭載する。
【００３８】
通線口ユニット７Ａは、通線口ユニットケース１４Ａと通線口ユニットカバー１５Ａとを有し、通線口ユニットケース１４Ａには、複数の仕切り１６Ａにより１６回線のＡ線用のジャンパ線を保安器サブモジュール１の左側面側から正面側のＵスリット端子３Ａ−１〜３Ａ−１６に案内する通線口１７Ａ−１〜１７Ａ−１６を形成する。同様に、通線口ユニット７Ｂも、通線口ユニットケース１４Ｂと通線口ユニットカバー１５Ｂとを有し、通線口ユニットケース１４Ｂに複数の仕切り１６Ｂにより１６回線のＢ線用のジャンパ線を保安器サブモジュール１の左側面側から正面側のＵスリット端子３Ｂ−１〜３Ｂ−１６に案内する通線口１７Ｂ−１〜１７Ｂ−１６を形成する。
【００３９】
本実施の形態の保安器サブモジュール１は、図８に示したと同様に、複数段積み重ねて通信機器用保安器を構成して、ジャンパ線の接続作業、切り分け試験等が行われる。
【００４０】
ここで、ジャンパ線の接続作業においては、作業者は、各回線のＡ線用のジャンパ線を保安器サブモジュール１の左側面側から通線口ユニット７Ａの対応する通線口１７Ａ−１〜１７Ａ−１６に挿入して正面側に突出させ、その突出したＡ線用のジャンパ線を正面側の対応するＡ線用のＵスリット端子３Ａ−１〜３Ａ−１６に圧入して結線することができる。同様に、各回線のＢ線用のジャンパ線は、保安器サブモジュール１の左側面側から通線口ユニット７Ｂの対応する通線口１７Ｂ−１〜１７Ｂ−１６に挿入して正面側に突出させ、その突出したＢ線用のジャンパ線を正面側の対応するＢ線用のＵスリット端子３Ｂ−１〜３Ｂ−１６に圧入して結線することができる。
【００４１】
また、切り分け試験を行う際は、作業者は、保安器サブモジュール１の正面側から、Ｕスリットハウジング１２の試験対象の回線に対応する試験片用窓部１２−１〜１２−１６を通して試験弾器ユニット５に試験片を挿入することにより、対応する弾器ばね対５Ａ−１〜５Ａ−１６、５Ｂ−１〜５Ｂ−１６を離間させて回線を切断し、その状態で対応する回線の絶縁抵抗測定、電圧測定、静電容量測定等の所望の切り分け試験を行うことができる。
【００４２】
以上のように、本実施の形態によれば、試験弾器ユニット５を、保安器サブモジュール１の正面側から試験片を挿脱できるように、Ｕスリット端子３Ａ−１〜３Ａ−１６、３Ｂ−１〜３Ｂ−１６と平行にプリント配線板２Ａ、２Ｂ間に搭載したので、試験弾器ユニット５に対して試験片を容易に挿脱することができると共に、試験片を挿入する回線も容易に確認でき、誤挿入を低減することができる。したがって、切り分け試験を効率良く行うことができる。
【００４３】
また、試験弾器ユニット５には、Ａ線用の弾器ばね対５Ａ−１〜５Ａ−１６およびＢ線用の弾器ばね対５Ｂ−１〜５Ｂ−１６を、回線毎に隣接するように交互に一列に保持すると共に、Ａ線用の保安素子４Ａ−１〜４Ａ−１６とＢ線用の保安素子４Ｂ−１〜４Ｂ−１６とを、プリント配線板２Ａ、２Ｂに重ならないように搭載したので、保安器サブモジュール１の厚さ方向の寸法を小さくでき、それに伴って保安器サブモジュール１を複数段搭載する通信機器用保安器を小型化することができる。
【００４４】
また、Ｕスリット端子３Ａ−１〜３Ａ−１６、３Ｂ−１〜３Ｂ−１６を保持するＵスリットハウジング１２に、各回線に対応して試験片が通る試験片用窓部１２−１〜１２−１６を形成したので、試験片用窓部１２−１〜１２−１６をガイドにして試験片をより容易に挿脱することができると共に、誤挿入もより確実に防止することができ、切り分け試験の更なる効率向上が期待できる。
【００４５】
さらに、プリント配線板２ＡのＵスリット端子３Ａ−１〜３Ａ−１６に結線するＡ線用のジャンパ線を整線する通線口ユニット７Ａをプリント配線板２Ａに搭載すると共に、プリント配線板２ＢのＵスリット端子３Ｂ−１〜３Ｂ−１６に結線するＢ線用のジャンパ線を整線する通線口ユニット７Ｂをプリント配線板２Ｂに搭載したので、Ａ線、Ｂ線間の誤結線を確実に防止できると共に、結線作業を容易に行うことができる。
【００４６】
なお、本発明は上記実施の形態に限定されるものではなく、発明の趣旨を逸脱しない範囲で種々変更可能である。例えば、試験弾器ユニット５の弾器ばね対５Ａ−１〜５Ａ−１６、５Ｂ−１〜５Ｂ−１６は、一列に設ける場合に限らず、Ａ線側の弾器ばね対５Ａ−１〜５Ａ−１６とＢ線側の弾器ばね対５Ｂ−１〜５Ｂ−１６とに分けて二列に設けることもできる。また、上記実施の形態では、回線に対応させてＵスリットハウジング１２に試験片が通る試験片用窓部１２−１〜１２−１６を形成したが、全ての回線に対して一つの共通の試験片用窓部を形成することもできる。また、保安素子４Ａ−１〜４Ａ−１６、４Ｂ−１〜４Ｂ−１６は、厚さ方向において干渉しなければ、プリント配線板２Ａ、２Ｂの奥行き方向の同一位置に配列して搭載することもできる。さらに、上記実施の形態では、Ａ線用とＢ線用との二つの通線口ユニット７Ａ、７Ｂを搭載したが、いずれか一方を省略して、各回線の２本のジャンパ線を同一の通線口に挿入して結線することもできる。また、収容回線数も１６回線に限らず、任意の収容回線数とすることができる。
【図面の簡単な説明】
【００４７】
【図１】本発明の一実施の形態における保安器サブモジュールの構成を示すもので、（ａ）は正面図、（ｂ）は平面図、（ｃ）は右側面図および（ｄ）左側面図である。
【図２】図１（ｂ）のＡ−Ａ断面図である。
【図３】図１に示す保安器サブモジュールの一部を切り欠いた分解斜視図である。
【図４】図１に示す保安器サブモジュールの回路図である。
【図５】従来の保安器サブモジュールの構成を示すもので、（ａ）は正面図、（ｂ）は平面図、（ｃ）は右側面図および（ｄ）は左側面図である。
【図６】同じく、底面図である。
【図７】図５に示す保安器サブモジュールの回路図である。
【図８】図５に示す保安器サブモジュールを積み重ねてなる通信機器用保安器を示す斜視図である。
【図９】図８に示す保安器サブモジュールを反対側から見た斜視図である。
【符号の説明】
【００４８】
１  保安器サブモジュール
２Ａ、２Ｂ  プリント配線板
３Ａ−１〜３Ａ−１６、３Ｂ−１〜３Ｂ−１６  Ｕスリット端子
４Ａ−１〜４Ａ−１６、４Ｂ−１〜４Ｂ−１６  保安素子
５  試験弾器ユニット
５Ａ−１〜５Ａ−１６、５Ｂ−１〜５Ｂ−１６  弾器ばね対
６−１、６−２  交換機側コネクタ
６Ａ−１〜６Ａ−１６  Ａ線用端子
６Ｂ−１〜６Ｂ−１６  Ｂ線用端子
６−１Ｅ、６−２Ｅ  アース端子
７Ａ、７Ｂ  通線口ユニット
１１  フレーム
１２  Ｕスリットハウジング
１２−１〜１２−１６  試験片用窓部
１３  弾器ハウジング
１４Ａ、１４Ｂ  通線口ユニットケース
１５Ａ、１５Ｂ  通線口ユニットカバー
１６Ａ、１６Ｂ  仕切り
１７Ａ−１〜１７Ａ−１６、１７Ｂ−１〜１７Ｂ−１６  通線口
【図１】
2005184081.tif 000003
【図２】
2005184081.tif 000004
【図３】
2005184081.tif 000005
【図４】
2005184081.tif 000006
【図５】
2005184081.tif 000007
【図６】
2005184081.tif 000008
【図７】
2005184081.tif 000009
【図８】
2005184081.tif 000010
【図９】
2005184081.tif 000011